(57)【要約】【課題】  既存の六角軸差替式ドライバにラチェット機能を付加してラチェットドライバとし、不必要時には元の六角軸差替式ドライバに戻すことができ、小型に形成される取り扱い性のよい小型ラチェットパーツを提供する。【解決手段】  ラチェットリング２を回転させて右空廻りや左空廻り位置や中立（固定）位置にセットし、ラチェット爪１５をラチェットリング２やラチェットビットホルダ３のラチェット爪保持用長溝２３やギヤ部１０に係合させることにより右廻りや左廻りのラチェットドライバとすることが出来る。【選択図】  図２
2014000622.tif 000002
【特許請求の範囲】
【請求項１】
ラチェット機能を有していない既存の六角軸差替式ドライバに着脱可能に挿設されて前記既存ドライバをラチェットドライバとして機能させるために適用される小型のラチェットパーツであって、該ラチェットパーツは、ラチェット本体と、これに挿脱されるラチェットリング及びラチェットビットホルダとからなり、前記ラチェット本体は一端側に前記既設のドライバに挿脱される角体軸とこれに一体的に連設され角体軸よりも大径の拡径軸部とを有する軸体からなり、前記ラチェットリングは前記拡径軸部に挿脱されて前記拡径軸部の所定位置に位置決めされるリング体からなり、前記ラチェットビットホルダは、一端側に前記拡径軸部に挿脱可能に固定されて前記ラチェットリングの他端側に当接して位置決めされ内部にギヤ部を形成するリング体とこれに一体的に連設されドライバとして機能する角状軸体が挿脱可能に固定される内部角体孔を有する軸部とを形成するものからなり、前記ラチェット本体の前記軸体の前記拡径軸部には少なくとも２個のラチェット爪がバネ体を介して挿脱されるラチェット爪摺動穴と、前記ラチェットリングの前記リング体の後記する嵌め溝にバネ体を介して挿脱されて前記リング体を右廻り位置，左廻り位置，中立位置に固定するための位置決めボールをバネ体を介して挿脱するボール保持穴と、前記ラチェットビットホルダを脱着可能に固定するねじ穴を形成するものからなり、前記ラチェットリングは、その内面に前記位置決めボールが挿脱されて右廻り位置，左廻り位置，中立位置に前記ラチェットリングを位置決めするための前記嵌め溝と前記ラチェット爪を右廻り位置や左廻り位置に保持するためのラチェット爪保持用長溝とを形成するものからなり、前記ラチェットビットホルダは前記ラチェット爪を右廻り時及び左廻り位置及び中立位置に固定するための前記ギヤ部と、前記ラチェット本体の前記軸体のねじ穴に挿脱可能に螺着するねじ体の挿脱される孔部を形成するものからなることを特徴とする小型ラチェットパーツ。
【請求項２】
前記ラチェットリングの外面にはすべり止め溝が形成され、前記ラチェットビットホルダの前記軸部には前記内部角体孔内に挿脱されドライバとして機能する前記角状軸体を固定するためのボール体の挿入孔と前記ボール体の飛び出しを防止するためのリングバネが巻設されることを特徴とする請求項１に記載の小型ラチェットパーツ。
【発明の詳細な説明】
【技術分野】
【０００１】
本発明は、小型に形成され既存のドライバ等に着脱可能に挿脱されて前記既存の六角軸差替式ドライバ等をラチェットドライバ等として機能させるために使用される小型ラチェットパーツに関する。
【背景技術】
【０００２】
ラチェットドライバとしては従来より各種のものが存在し、夫々便利に使用されているがこれ等は全体機能としてラチェット機能を固定的に有するものであり、ラチェット機能を有していない既存のドライバ等をラチェットドライバとして機能させるものは公知技術として見当らない。しかしながら、以下に説明する本発明の小型ラチェットパーツに比較的似ている公知技術の１つとして「特許文献１」が挙げられる。
【先行技術文献】
【特許文献】
【０００３】
【特許文献１】特開２００７−２８３４８４号（図１）    この「特開２００７−２８３４８４号」のラチェットドライバ（１０）は、第一本体（２０）と向き切り替え（５０）と第二本体（３０）との３点セットのものからなり、後に説明する本発明の小型ラチェットパーツと構成において似ている点もあるが、このものはその（図１）に示すように第一本体（２０）には握り柄（６０）が同一直線上に貫通して嵌入され第二本体（３０）にはドライバとして機能する角状軸体が固定される所謂ラチェットドライバであり、ラチェットパーツとしての機能を有するものではない。更に、このものの第一本体（２０）に形成される嵌め止め部材（４０）は第一本体（２０）を横方向に貫通する収納部（２４）に挿入されて確実に固定することを１つの特徴としているものであり、かつ第一本体（２０）は既存のドライバに任意に挿入固定される構造のものではない。
【発明の概要】
【発明が解決しようとする課題】
【０００４】
前記のようにラチェット機能を有していないドライバとしては各種のものがあるが作業現場ではラチェット機能を有するドライバが要求されることも多い。勿論、ラチェットドライバとしては各種のものが従来より存在しているがいずれもその機能を有しないドライバよりは高価なものが殆どである。また、使用場所によっては常にラチェット機能を必要としない場合も多い。以上のような状況においてはドライバとしてはラチェット機能と通常の単純なドライバ機能の双方を有するものが要請されることも多い。
【０００５】
本発明は、以上の要請に鑑みて創案されたものであり、小型の単体として存在し、必要に応じて既存の通常のドライバ等に挿設されてそのドライバにラチェット機能を保有させると共にラチェット機能を必要としない場合はいつでも通常のドライバとして機能させることが可能な小型ラチェットパーツを提供することを目的とするものである。
【課題を解決するための手段】
【０００６】
本発明は、以上の目的を達成するために、ラチェット機能を有していない既存の六角軸差替式ドライバに着脱可能に挿設されて前記既存のドライバをラチェットドライバとして機能させるために適用される小型のラチェットパーツであって、該ラチェットパーツは、ラチェット本体と、これに挿脱されるラチェットリング及びラチェットビットホルダとからなり、前記ラチェット本体は一端側に前記既設ドライバに挿脱される角体軸とこれに一体的に連設され角体軸よりも大径の拡径軸部とを有する軸体からなり、前記ラチェットリングは前記拡径軸部に挿脱されて前記拡径軸部の所定位置に位置決めされるリング体からなり、前記ラチェットビットホルダは、一端側に前記拡径軸部に挿脱可能に固定されて前記ラチェットリングの他端側に当接して位置決めされ内部にギヤ部を形成するリング体とこれに一体的に連設されドライバとして機能する角状軸体が挿脱可能に固定される内部角体孔を有する軸部とを形成するものからなり、前記ラチェット本体の前記軸体の前記拡径軸部には少なくとも２個のラチェット爪がバネ体を介して挿脱されるラチェット爪摺動穴と、前記ラチェットリングの前記リング体の後記する嵌め溝にバネ体を介して挿脱されて前記リング体を右廻り位置，左廻り位置，中立位置に固定するための位置決めボールをバネ体を介して挿脱するボール保持穴と、前記ラチェットビットホルダを脱着可能に固定するねじ穴を形成するものからなり、前記ラチェットリングは、その内面に前記位置決めボールが挿脱されて右廻り位置，左廻り位置，中立位置に前記ラチェットリングを位置決めするための前記嵌め溝と前記ラチェット爪を右廻り位置や左廻り位置に保持するためのラチェット爪保持用長溝とを形成するものからなり、前記ラチェットビットホルダは前記ラチェット爪を右廻り時及び左廻り位置及び中立位置に固定するための前記ギヤ部と、前記ラチェット本体の前記軸体のねじ穴に挿脱可能に螺着するねじ体の挿脱される孔部を形成するものからなることを特徴とする。
【０００７】
また、請求項２の発明は、前記ラチェットリングの外面にはすべり止め溝が形成され、前記ラチェットビットホルダの前記軸部には前記内部角体孔内に挿脱されドライバとして機能する前記角状軸体を固定するためのボール体の挿入孔と前記ボール体の飛び出しを防止するためのリングバネが巻設されることを特徴とする。
【発明の効果】
【０００８】
本発明の請求項１の小型ラチェットパーツによれば、通常のドライバをラチェットドライバとして機能させる場合には、小型ラチェットパーツのラチェット本体の角体軸を既存のドライバの角状軸体（ドライバとして機能する軸体）の挿入部に挿入して固定し、ラチェットビット本体の内部角体孔に前記角状軸体を挿入することによって既存の通常のドライバをラチェットドライバとして機能させることが出来る。また、小型ラチェットパーツは小型であり、取扱いが容易であり、比較的安価に形成される。
【０００９】
また、本発明の請求項２の小型ラチェットパーツによれば、ラチェットリングにはすべり止め溝が形成され、ラチェット操作が容易に、かつ確実に出来、また、ラチェットビットホルダに挿入される角状軸体はボール体とリングバネにより確実に固定されることが出来、ラチェット機能を有するドライバとして安定的に使用することが出来る。
【図面の簡単な説明】
【００１０】
【図１】本発明の小型ラチェットパーツの外観図。
【図２】図１の軸断面図。
【図３】小型ラチェットパーツの各構成要素を示す分解図（ａ），（ｂ）。
【図４】ラチェット本体の詳細構造を示す外観図（ａ）とその断面図（ｂ）と（ａ）の右側面図（ｃ）。
【図５】ラチェットリングの内部構造を示す平面図（ａ）と外観図（ｂ）。
【図６】ラチェットビットホルダの外観図（ａ）と右側面図（ｂ）と左側面図（ｃ）と（ａ）の軸断面図（ｄ）。
【図７】ラチェット爪の平面図（ａ）と上面図（ｂ）。
【図８】本発明の小型ラチェットパーツのラチェット作用を説明するための断面図（ａ），（ｂ）。
【図９】本発明の小型ラチェットパーツの使用状態を説明するための外観図（ａ）と既存の六角軸差替式ドライバの外観図（ｂ）及び（ｂ）の軸断面図（ｃ）。
【発明を実施するための形態】
【００１１】
以下、本発明の小型ラチェットパーツの実施の形態を図面を参照して詳述する。
【００１２】
図１，図２，図３に示すように、小型ラチェットパーツ１００はラチェット本体１と、ラチェットリング２と、ラチェットビットホルダ３との３点の構成部品を同一軸上に隣接させカラ５を介しねじ４により固定して組み付け配置したものからなる。
【００１３】
図４に示すように、ラチェット本体１は、既存の六角軸差替式ドライバ２００（図９（ｂ）に示す）に挿脱される角体軸６と拡径軸部７とからなる軸体８からなる。
【００１４】
ラチェットリング２は、拡径軸部７に挿脱されるリング体９からなる。
【００１５】
また、ラチェットビットホルダ３は、拡径軸部７に挿脱可能に固定されて所定位置に位置決めされ内部にギヤ部１０を形成するギヤリング体１１とこれに一体的に連設されてドライバの軸体１２（図９の（ｂ）に示す）が挿脱される内部角体孔１３を有する軸部１４等とから形成される。
【００１６】
図３及び図４に示すように、ラチェット本体１の拡径軸部７にはラチェット爪１５がバネ体１６を介して挿入されるラチェット爪摺動穴１７が本実施例では２個形成され、かつ位置決めボール１８がバネ体１９を介して挿入されるボール保持穴２０が形成され、更にラチェットビットホルダ３をラチェット本体１側に固定又は固定を解除するためのねじ穴２１が螺刻される。このねじ穴２１には図３に示すようにカラ５を介してねじ４が螺設される。
【００１７】
ラチェットリング２は図５に示すように前記のようにリング体９からなり、その内部には位置決めボール１８が嵌り込む嵌め溝２２及びラチェット爪保持用長溝２３が凹設され、外面にはすべり止め溝２４が形成される。なお、嵌め溝２２は右空廻り用と左空廻り用と中立（固定）の３個が夫々形成される（これ等を右空廻り用嵌り溝２２ａ，左空廻り用嵌り溝２２ｂ，中立（固定）用嵌り溝２２ｃと称呼する）。また、２個のラチェット爪保持用長溝２３は右空廻り用の長溝２３ａと左空廻り用の長溝２３ｂと称呼する。
【００１８】
図６に示すようにラチェットビットホルダ３には内部角体孔１３に連設してねじ４が挿入される孔部２５が形成され、軸部１４の内部角体孔１３の部分にはボール体２６の挿脱するボール体挿入孔２７が設けられ、ボール体２６の飛び出しを防止するためのリングバネ２８が巻設されている。
【００１９】
次に、本発明の小型ラチェットパーツ１００によるラチェット作用について図８により説明する。
図８における（ａ）及び（ｂ）の（Ａ），（Ｂ），（Ｃ）はラチェット動作が右空廻り，中立（固定），左空廻りにおけるラチェット本体１のラチェット爪１５のラチェットビットホルダ３のギヤ部１０との係合状態及びラチェットリング２の嵌め溝２２やラチェット爪保持用長溝２３との係合状態を夫々示すものである。例えば、右空廻り時には図８（ａ）の（Ａ）に示すようにラチェット爪１５の１つがギヤ部１０に嵌り込みそのラチェット爪１５が図８（ｂ）の（Ａ）に示すように右空廻り用の長溝２３ａの一端に嵌り込み位置決めボール１８が右空廻り用嵌り溝２２ａに嵌り込んだ状態となる。なお、中立（固定）や左空廻りの状態は図示の通りである。
以上の動作はねじ４を少し緩めてラチェットリング２を右空廻り側や左空廻り側や中立（固定）側に廻すことにより容易に、かつ正確に行われる。
【００２０】
図９は既存の六角軸差替式ドライバ２００（図９（ｂ）に示す）に本発明の小型ラチェットパーツ１００を設けたもの（図９（ａ）に示す）を示す。即ち、六角軸差替式ドライバ２００に挿入されている角状軸体１２を取り外し、その本体側に小型ラチェットパーツ１００を挿入し、小型ラチェットパーツ１００に角状軸体１２を挿入することにより通常の六角軸差替式ドライバ２００をラチェットドライバとして機能させることが出来る。勿論、小型ラチェットパーツ１００を本体側から取り外してドライバの本体側に角状軸体１２を挿入することにより通常のドライバに戻すことが出来る。
【００２１】
本発明は、以上の説明の内容のものからなるが、本発明は以上の内容に限定されるものではなく、同一技術的範囲のものが適用されることは勿論である。
【産業上の利用可能性】
【００２２】
本発明は、六角軸差替式ドライバ２００（図９（ｂ）に示す）の如きものが挿脱出来るすべてのドライバに適用されるものであり、更にドライバに限定するものではなく同一の作業の必要とする工具にも適用され、その利用範囲は極めて広い。
【符号の説明】
【００２３】
１      ラチェット本体
２      ラチェッリング
３      ラチェットビットホルダ
４      ねじ
５      カラ
６      角体軸
７      拡径軸部
８      軸体
９      リング体
１０    ギヤ部
１１    ギヤリング体
１２    軸体
１３    内部角体孔
１４    軸部
１５    ラチェット爪
１６    バネ体
１７    ラチェット爪摺動穴
１８    位置決めボール
１９    バネ体
２０    ボール保持穴
２１    ねじ穴
２２    嵌め溝
２２ａ  右空廻り用嵌り溝
２２ｂ  左空廻り用嵌り溝
２２ｃ  中立（固定）用嵌り溝
２３    ラチェット爪保持用長溝
２３ａ  右空廻り用の長溝
２３ｂ  左空廻り用の長溝
２４    すべり止め溝
２５    孔部
２６    ボール体
２７    ボール体挿入孔
２８    リングバネ
１００  小型ラチェットパーツ
２００  六角軸差替式ドライバ
【図１】
2014000622.tif 000003
【図２】
2014000622.tif 000004
【図３】
2014000622.tif 000005
【図４】
2014000622.tif 000006
【図５】
2014000622.tif 000007
【図６】
2014000622.tif 000008
【図７】
2014000622.tif 000009
【図８】
2014000622.tif 000010
【図９】
2014000622.tif 000011